【手続補正書】
【提出日】平成18年6月9日(2006.6.9)
【手続補正１】
【補正対象書類名】明細書
【補正対象項目名】特許請求の範囲
【補正方法】変更
【補正の内容】
【特許請求の範囲】
【請求項１】  ズームのために入力されたズーム制御情報に基づいてズーム部を駆動し、且つフォーカス部の駆動に伴う画角変動を補正するために前記ズーム部の目標駆動位置を演算し、該演算結果に応じて前記ズーム部を駆動する制御手段を有するズームレンズにおいて、
前記制御手段は、前記入力されたズーム制御情報が前記ズーム部の目標駆動位置に関する情報か否かを判別し、該目標駆動位置に関する情報であるときは、前記画角変動補正のための前記ズーム部の駆動を禁止することを特徴とするズームレンズ。
【請求項２】  ズームのために入力されたズーム制御情報に基づいてズーム部を駆動し、且つフォーカス部の駆動に伴う画角変動を補正するために前記ズーム部の目標駆動位置を演算して前記ズーム部を駆動する制御手段を有するズームレンズにおいて、
前記制御手段は、前記入力されたズーム制御情報が前記ズーム部の駆動速度に関する情報か否かを判別し、駆動速度に関する情報であり且つ該駆動速度に関する情報が零でないときは、前記フォーカス部が駆動されても前記画角変動補正のための前記ズーム部の駆動を禁止することを特徴とするズームレンズ。
【請求項３】  前記制御手段は、前記ズーム制御情報が目標駆動位置に関する情報であるときは、前記フォーカス部が駆動されても前記画角変動補正のための前記ズーム部の目標駆動位置の演算を行わないことを特徴とする請求項１に記載のズームレンズ。
【請求項４】  前記制御手段は、前記ズーム制御情報が前記ズーム部の駆動速度に関する情報であり該駆動速度に関する情報が零であるときは、前記画角変動補正のための前記ズーム部の目標駆動位置の演算を行うことを特徴とする請求項２に記載のズームレンズ。
【請求項５】  前記フォーカス部の駆動に伴う画角変動を補正するために前記ズーム部の目標駆動位置を演算して前記ズーム部を駆動する画角変動補正モードの設定が可能なズームレンズにおいて、
前記制御手段は、前記画角変動補正モードが設定されている状態において、前記ズーム制御情報が目標駆動位置に関する情報であるときには、前記画角変動補正モードの設定を解除して前記画角変動補正のための前記ズーム部の駆動を禁止することを特徴とする請求項１に記載のズームレンズ。
【請求項６】  前記制御手段は、前記ズーム制御情報が前記ズーム部の駆動速度に関する情報である場合において、前記フォーカス部が駆動され、前記駆動速度に関する情報が零であるときは、前記画角変動補正のための前記ズーム部の目標駆動位置を演算して該ズーム部の駆動を行うことを特徴とする請求項２又は４に記載のズームレンズ。
【請求項７】  前記制御手段は、
前記ズーム制御情報が前記ズーム部の目標駆動位置に関する情報か前記ズーム部の駆動速度に関する情報かを判別する判別部と、
前記フォーカス部を駆動するためのフォーカス制御情報と前記ズーム制御情報と前記ズーム部および前記フォーカス部をそれぞれ構成するレンズの位置に関する情報とに基づいて、前記ズーム部を画角変動補正のために駆動するための目標駆動位置を演算する演算部とを有することを特徴とする請求項１から６のいずれかに記載のズームレンズ。
【請求項８】  前記演算部は、前記ズーム部および前記フォーカス部をそれぞれ構成するレンズの位置に対応して記憶手段に記憶された情報に基づいて、画角変動補正のための目標駆動位置を演算することを特徴とする請求項７に記載のズームレンズ。
【請求項９】  請求項１から８のいずれかに記載のズームレンズと、使用者操作に応じて前記ズームレンズに前記ズーム制御情報を出力する操作装置とを有することを特徴とするズームレンズシステム。
【請求項１０】  請求項１から８のいずれかに記載のズームレンズと、前記ズームレンズが装着され、該ズームレンズに前記ズーム制御情報を出力するカメラとを有することを特徴とするカメラシステム。
【請求項１１】  請求項１から８のいずれかに記載のズームレンズと、前記ズームレンズが装着されるカメラと、このカメラを制御するコントロールユニットとを有し、
前記カメラ又は前記コントロールユニットは、前記ズームレンズに前記ズーム制御情報を出力することを特徴とするカメラシステム。
【手続補正２】
【補正対象書類名】明細書
【補正対象項目名】０００３
【補正方法】変更
【補正の内容】
【０００３】
図８には、画角変動補正機能を備えたズームレンズの制御フローチャートを示している。ステップ１０３でズームデマンドから出力される制御信号が、ズーム部を構成するレンズの位置（以下、ズーム位置という）を示す位置信号である場合は、この位置信号に対してズーム位置が一義的に決まる。
【手続補正３】
【補正対象書類名】明細書
【補正対象項目名】０００８
【補正方法】変更
【補正の内容】
【０００８】
【課題を解決するための手段】
上記の目的を達成するために、本願第１の発明では、ズームのために入力されたズーム制御情報に基づいてズーム部を駆動し、且つフォーカス部の駆動に伴う画角変動を補正するためにズーム部の目標駆動位置を演算し、該演算結果に応じてズーム部を駆動する制御手段を有するズームレンズにおいて、制御手段に、入力されたズーム制御情報がズーム部の目標駆動位置に関する情報か否かを判別（ズーム部の目標駆動位置に関する情報かズーム部の駆動速度に関する情報かの判別を含む）させ、目標駆動位置に関する情報であるときは前記画角変動補正のためのズーム部の駆動を禁止させるようにしている。
【手続補正４】
【補正対象書類名】明細書
【補正対象項目名】０００９
【補正方法】変更
【補正の内容】
【０００９】
また、本願第２の発明では、ズーム制御情報がズーム部の駆動速度に関する情報であり、該駆動速度に関する情報が零でないときは、フォーカス部が駆動されても、制御手段による画角変動補正のためのズーム部の駆動を禁止するようにしている。
【手続補正５】
【補正対象書類名】明細書
【補正対象項目名】００１０
【補正方法】変更
【補正の内容】
【００１０】
また、本願第３の発明では、ズーム制御情報が目標駆動位置に関する情報であるときは、フォーカス部が駆動されても画角変動補正のためのズーム部の目標駆動位置の演算を行わせないようにしている。
【手続補正６】
【補正対象書類名】明細書
【補正対象項目名】００１１
【補正方法】変更
【補正の内容】
【００１１】
さらに、本願第４の発明では、ズーム制御情報がズーム部の駆動速度に関する情報であり、該駆動速度に関する情報が零であるときは、画角変動補正のためのズーム部の目標駆動位置の演算を行わせるようにしている。
【手続補正７】
【補正対象書類名】明細書
【補正対象項目名】００１２
【補正方法】変更
【補正の内容】
【００１２】
これら発明のズームレンズでは、画角変動補正機能（画角変動補正モード）をＯＮした状態でズームデマンド等の操作装置からズーム部の目標駆動位置に関する情報（すなわち、ズーム部の位置情報）が入力されると、画角変動補正機能がＯＦＦされる。このため、画角変動補正機能がＯＮの状態で操作装置からズーム部の目標駆動位置に関する情報が入力されても、従来のように、画角変動補正のための駆動位置から、入力された目標駆動位置に大きく駆動されることがなくなり、ズーム部は常に滑らかに駆動され、撮影者の意図する画角を容易に得ることが可能となる。
【手続補正８】
【補正対象書類名】明細書
【補正対象項目名】００７２
【補正方法】変更
【補正の内容】
【００７２】
リモートの場合は、ステップ６４ａ，６５ａにて、カメラ１０３から正規化されたズーム制御データＺｖａｌｕｅおよび正規化されたフォーカス制御データ（フォーカス位置データ）Ｆｄａｔａを入力する。一方、ローカルの場合は、ステップ６４ｂ，６５ｂにて、各デマンド１，２から正規化されたズーム制御データＺｖａｌｕｅおよび正規化されたフォーカス制御データＦｄａｔａを入力する。
【手続補正９】
【補正対象書類名】明細書
【補正対象項目名】００７７
【補正方法】変更
【補正の内容】
【００７７】
一方、ステップ７２でズーム制御データＺｖａｌｕｅが位置データＺｄａｔａの場合は、ステップ７４にジャンプする。ステップ７４では画角補正モードフラグをクリアし、ステップ７５に進む。
【手続補正１０】
【補正対象書類名】明細書
【補正対象項目名】００９１
【補正方法】変更
【補正の内容】
【００９１】
【発明の効果】
以上説明したように、本願各発明によれば、画角変動補正機能（画角変動補正モード）をＯＮした状態で制御手段に入力されるズーム制御信号がズーム部の目標駆動位置（すなわち、ズーム位置）に関する情報である場合には、画角変動補正機能がＯＦＦされるので、画角変動補正機能がＯＮの状態で操作装置からズーム部の目標駆動位置に関する情報が入力されても、従来のように、画角変動補正のための駆動位置から、入力された目標駆動位置に大きく駆動されることがなくなり、ズーム部は常に滑らかに駆動され、撮影者の意図する画角を容易に得ることができる。